(57)【要約】      （修正有）【課題】一日の、時間帯による太陽光照度の変動を小さくするための、構成部分の簡略化，生産コストの低減化，設置工事の簡単化及び光入射調整部材管理の簡単化を図る太陽光入射構造を提供する。【解決手段】鏡面仕様で同一形状の複数の西側フィン２ａ及び東側フィン２ｂが、それぞれ南北方向で、かつ、全体としては平面視東西直線方向の位置態様で、採光部１ａの東サイトおよび西サイトに配設される。東サイトの東側フィン２ｂは、それぞれ東上がりの傾斜態様により、その上端縁部分２ｃが、サイト境界に近いほど上方に位置する形で配設され、西サイトの西側フィン２ａは、それぞれ西上がりの傾斜態様により、その上端縁部分２ｃが、サイト境界に近いほど上方に位置する形で配設される。各フィン２ａ、２ｂの上表面で反射した太陽光は隣上方の他のフィンの下裏面で再反射して、採光部１ａへ入射する。【選択図】図４
2016157654.tif 000002
【特許請求の範囲】
【請求項１】
鏡面仕様で同一形状からなる複数の光入射調整部材が、それぞれ南北方向で、かつ全体としては平面視東西直線方向の位置態様で、採光部の東サイトおよび西サイトに配設された太陽光入射構造において、
前記東サイトの前記光入射調整部材は、
それぞれ東上がりの傾斜態様により、その上端縁部分が、前記東サイトと前記西サイトとのサイト境界に近いほど上方に位置する形で配設され、
前記西サイトの前記光入射調整部材は、
それぞれ西上がりの傾斜態様により、その上端縁部分が、前記サイト境界に近いほど上方に位置する形で配設され、
第一の前記光入射調整部材は、
そのサイト境界側の上表面大部分が隣上方の第二の前記光入射調整部材の下裏面と離間対向状態に設定されている、
ことを特徴とする太陽光入射構造。
【請求項２】
前記採光部に配設された前記光入射調整部材の前記傾斜態様は、
すべて水平面に対する同一角度の傾斜状態である、
ことを特徴とする請求項１記載の太陽光入射構造。
【請求項３】
前記採光部に配設された前記光入射調整部材は、
少なくとも、水平面に対する第一の角度の傾斜状態のものと、当該第一の角度とは異なる第二の角度の傾斜状態のものとからなる、
ことを特徴とする請求項１記載の太陽光入射構造。
【請求項４】
前記光入射調整部材は、
前記東サイトおよび前記西サイトのそれぞれに北上がりの傾斜態様で配設され、
前記採光部の北側部分に、
前記光入射調整部材への太陽光反射用の北側起立部材が南傾斜状態で設置されている、
ことを特徴とする請求項１乃至３のいずれかに記載の太陽光入射構造。
【発明の詳細な説明】
【技術分野】
【０００１】
本発明は、採光部における太陽入射光の採光割合を、高高度太陽光の昼間よりも低高度太陽光の朝（午前），夕（午後）の方が相対的に大きくなるようにして、屋内などにおける一日の時間帯の太陽光照度の変動を小さくするための太陽光入射構造に関する。
【０００２】
特に、同一形状からなる例えば長方形状平板で鏡面仕様の複数の光入射調整部材を、採光部の東サイトおよび西サイトに、それぞれ南北方向で、全体としてはサイト境界に近いほど上方となる平面視東西直線方向の位置態様で配設した太陽光入射構造である（図１，図２参照）。
【０００３】
東サイトの光入射調整部材は東上がりの傾斜態様で、西サイトの光入射調整部材は西上がりの傾斜態様でそれぞれ配設されている（図２，図４参照）。
【０００４】
また、任意の第一の光入射調整部材は、そのサイト境界側の平面大部分（例えば後述の３／４）が隣上方に位置する離間対向状態の第二の光入射調整部材で覆われた形になっている。
【０００５】
採光部へ進む太陽光は、第一の光入射調整部材の上表面初期反射光の一部がそのサイト境界側隣上方の第二の光入射調整部材の下裏面にて反射した、下裏面再反射光の形で採光部に入射する。
【０００６】
この第一の光入射調整部材の上表面初期反射光に対する第二の光入射調整部材での下裏面再反射光の割合を、昼間の高高度太陽光よりも朝（午前），夕（午後）の低高度太陽光の方が大きくなるようにしている。
【０００７】
なお、上述の上表面初期反射光の中、第二の光入射調整部材での下裏面再反射光に移行しない部分は、採光部に入射せずに、太陽光入射構造の上方空間域へ伝搬する。
【０００８】
すなわち、採光部に配設される複数の同一形状の光入射調整部材（長方形状平板など）は、
(11)その一つ一つをみれば、それぞれ略南北方向に、かつ、朝方太陽光に対する東サイトの光入射調整部材が東上がりの傾斜態様で、夕方太陽光に対する西サイトの光入射調整部材が西上がりの傾斜態様で、水平面に対する例えば略同じ傾斜角度により配設され、
(12)その全体をみれば、平面視での略東西直線方向の横並び態様で配設され、
(13)採光部の東西各サイトの複数の光入射調整部材は、それぞれの上端側が当該各サイトの東西方向の外側端部よりもサイト境界（例えば採光部の東西方向中間部分）に近いほど高くなるように、サイト境界側の光入射調整部材をいわばせり上げた態様で設置され、
(14)第一の光入射調整部材のサイト境界側平面は隣上方に位置する離間対向状態の第二の光入射調整部材で覆われている。
【０００９】
ここで、東側からの朝方太陽光は西上がりの傾斜態様で配設された光入射調整部材で上方に反射され、西サイトから採光されない。また同様に、西側からの夕方太陽光は東サイトから採光されない。
【００１０】
また、採光部の東西各サイトにおける光入射調整部材の上端部分のいわば包絡面は、これら各サイトの上記外側端部からサイト境界への東西方向の上り傾斜となる。
【００１１】
この東西各サイト包絡面の上り傾斜によって、当該傾斜がないときよりも、朝方太陽光の入射方向からみたときの東サイトの採光部面積や、夕方太陽光の入射方向からみたときの西サイトの採光部面積が大きくなり、朝夕の採光量を増大させることができる。
【００１２】
また、この光入射調整部材として例えば方形平板状のものを用いる場合、それが太陽光入射構造として建屋などに設置される前のいわば部品段階では光入射調整部材自体の表裏，前後，左右の違いも生じない。これにより光入射調整部材管理の容易化が図れる。
【００１３】
本発明は、低高度太陽光および高高度太陽光それぞれの採光量（屋内照度など）の一日の時間帯変動を少なくする機能を備えた太陽光入射構造のいわば簡略化、およびこれにともなうコスト低減化や設置工事簡単化を図ったものである。
【００１４】
明細書および特許請求の範囲の記載では、本発明を北半球で実施する場合を前提としている。すなわち、実施する場所を通る子午線の低緯度側方向を「南」、高緯度側方向を「北」とする。本発明を南半球で実施する場合は、「南」を「北」と読み替え、かつ、「北」を「南」と読み替える。
【００１５】
また、必要に応じて、採光部へ配設した状態における光入射調整部材の東西の幅方向を「横」，「左右」、南北の長手方向を「縦」と記す。また、南側を「前」、北側を「後」と記す。
【背景技術】
【００１６】
本件出願人は、すでに低高度太陽光および高高度太陽光それぞれの採光量（屋内照度など）の一日の時間帯変動を少なくする機能を備えた太陽光入射構造を提案している（下記特許文献１参照）。
【００１７】
この提案済みの太陽光入射構造は、朝夕の低高度の太陽光を採光部に積極的に取り込み、かつ昼間の高高度の太陽光のいわば採光部入射率を抑えるための入射態様調整についての検討，シミュレーションに基づくものである。
【００１８】
ここでは本発明と同様に上方に開いた採光部に対し、それぞれ光反射用下裏面と光遮蔽用上表面とを備えた複数の光入射調整部材（湾曲板）が、その一つ一つは南北方向に東上がり，西上がりの傾斜状態で、その全体は略東西方向の横並び態様で配設されている。
【００１９】
また、光入射調整部材の設定位置に応じて、すなわち採光部の東西方向外側端部から東西のサイト境界までのどの部分に設定されるかに応じて、そこで使用する光入射調整部材のサイズや傾斜角度を選択的に異ならせている。
【００２０】
この選択対象のサイズは採光部に設置した光入射調整部材自体の横方向の幅である。光入射調整部材の水平面との傾斜角度は、採光部のサイト境界に近いほど大きな角度に設定されている。すなわち東西中央のサイト境界に近いほど、光入射調整部材はより起立した状態になっている。
【００２１】
このように複数の湾曲版状の光入射調整部材を、その横方向の幅サイズや、採光部水平面との傾斜角度が異なる状態で用いている。
【００２２】
これにより、光入射調整部材それぞれの下端部分が水平面上に位置し、かつ、当該それぞれの上端部分が東西外端側から東西方向中央のサイト境界に向かって順次高くなっていく形に設定している。
【先行技術文献】
【特許文献】
【００２３】
【特許文献１】特許第５２８１１９８号公報
【発明の概要】
【発明が解決しようとする課題】
【００２４】
このように提案済みの太陽光入射構造は、複数の異なる湾曲板形状の光入射調整部材をそれぞれ、下端部分が水平面上で、かつ、上端部分が東西の外端側から中央のサイト境界に向かって順次高くなっていく形で配設する。この配設により、一日の各時間帯の太陽光入射量（照度）変動の平均化を図れるといった利便性を備えている。
【００２５】
本発明は、この太陽光入射構造の利便性を少なくとも実用レベルで維持しつつ、その構成部分の簡略化，生産コストの低減化，設置工事の簡単化および光入射調整部材管理の簡単化などを図ることを目的とする。
【課題を解決するための手段】
【００２６】
本発明は、以上の課題を次のようにして解決する。
(１)鏡面仕様で同一形状からなる複数の光入射調整部材(例えば後述の西側フィン２ａ，２ａ′，東側フィン２ｂ，２ｂ′，変形フィン２ｋ，低傾斜フィン２ｍ)が、それぞれ南北方向で、かつ全体としては平面視東西直線方向の位置態様で、採光部（例えば後述の採光部１ａ）の東サイトおよび西サイトに配設された太陽光入射構造において、
前記東サイトの前記光入射調整部材（例えば後述の東側フィン２ｂ，２ｂ′)は、
それぞれ東上がりの傾斜態様により、その上端縁部分（例えば後述の上端縁部分２ｃ）が、前記東サイトと前記西サイトとのサイト境界に近いほど上方に位置する形で配設され、
前記西サイトの前記光入射調整部材（例えば後述の西側フィン２ａ，２ａ′）は、
それぞれ西上がりの傾斜態様により、その上端縁部分（例えば後述の上端縁部分２ｃ）が、前記サイト境界に近いほど上方に位置する形で配設され、
第一の前記光入射調整部材は、
そのサイト境界側の上表面大部分が隣上方の第二の前記光入射調整部材の下裏面と離間対向状態に設定された、
構成態様のものを用いる。
（２）上記（１）において、
前記採光部に配設された前記光入射調整部材の前記傾斜態様は、
すべて水平面に対する同一角度の傾斜状態である、
（３）上記（１）において、
前記採光部に配設された前記光入射調整部材は、
少なくとも、水平面に対する第一の角度の傾斜状態のもの（例えば後述の西側フィン２ａ，東側フィン２ｂ）と、当該第一の角度とは異なる第二の角度の傾斜状態のもの（例えば後述の低傾斜フィン２ｍ）とからなる、
構成態様のものを用いる。
（４）上記（１），（２），（３）において、
前記光入射調整部材は、
前記東サイトおよび前記西サイトのそれぞれに北上がりの傾斜態様で配設され（例えば後述の西側フィン２ａ′，東側フィン２ｂ′）、
前記採光部の北側部分に、
前記光入射調整部材への太陽光反射用の北側起立部材（例えば後述の北側起立平板２ｅ）が南傾斜状態で設置された、
構成態様のものを用いる。
【００２７】
本発明は、以上の構成からなる光入射調整部材を用いた太陽光入射構造を対象としている。
【発明の効果】
【００２８】
本発明は以上の課題解決手段により、
(21)一日の各時間帯（朝方，昼間，夕方など）における採光部からの太陽入射光の照度変化分の縮小化を図る、
(22)この照度変化分の縮小化機能を備えた太陽光入射構造の構成の簡略化，生産コストの低減化，設置工事の簡単化および光入射調整部材管理の簡単化などを図る、
ことができる。
【図面の簡単な説明】
【００２９】
【図１】太陽光入射構造の平面状態を示す説明図である。
【図２】太陽光入射構造の東西方向の断面状態を示す説明図である。
【図３】太陽光入射構造の斜視平面状態を示す説明図である。
【図４】昼間太陽光および夕方太陽光それぞれの入反射状態を示す説明図であり、(a)は入反射状態の概要を示し、(b)は入反射状態の詳細を示している。
【図５】北側起立面を備え、すべての光入射調整部材が北上がりの傾斜態様で配設された太陽光入射構造の南北方向の断面状態を示す説明図である。
【図６】図５の太陽光入射構造の斜視平面状態を示す説明図である。
【図７】長方形状の光入射調整部材の別の実施形態を示す説明図であり、(a)は光入射調整部材それぞれの横方向短辺の下端側を縦方向長辺の全体にわたって下方に折り曲げた状態を示し、(b)は採光部水平面に対する光入射調整部材それぞれの傾斜角度をθ，θ′の二種類に設定した状態を示している。
【図８】天井に埋設するかたちで設けられた太陽光入射構造の東西方向の断面状態を示す説明図であり、(a)は太陽光入射構造周囲の天井に上方が広くなる態様の傾斜面を設けた場合を示し、(b)は太陽光入射構造周囲に鏡面ダクトを設けた場合を示している。
【発明を実施するための形態】
【００３０】
図１〜図８を用いて本発明の実施形態を説明する。
【００３１】
図１〜図８で用いるアルファベット付き参照番号の構成要素（例えば採光部１ａ）は原則として当該参照番号の数字部分の構成要素（例えば天井１）の一部である、ことを示している。
【００３２】
図１〜図８において、
１はビル，家屋，工場などの各種建屋における採光対象部分としての天井，
１ａは当該天井の一部に形成され、太陽光入射部分として作用するいわば開口天窓態様の採光部，
１ｂは採光部１ａを東サイトと西サイトに区分けして南北方向に延びる仮想の東西中央のサイト境界，
１ｃは採光部１ａの内周面に設けられた上方が広くなる態様の傾斜面（図８(a)のみで使用），
１ｄは採光部１ａの内周面に設けられた鏡面ダクト（図８(b)のみで使用），
をそれぞれ示している。
【００３３】
また、
２は採光部１ａに設置された太陽光入射構造，
２ａ，２ａ′は当該太陽光入射構造の西サイトを構成する計１３枚の長方形状平板であって、それぞれ縦方向（長辺）が南北を向いた西上がりの傾斜態様で、かつ、その全体はサイト境界１ｂに近いほど高位置となる状態で東西方向の一列に配設された西側フィン（西サイトの光入射調整部材：２ａ′は図５，図６のみで使用），
２ｂ，２ｂ′は当該太陽光入射構造の東サイトを構成する計１３枚の長方形状平板であって、それぞれ縦方向（長辺）が南北を向いた東上がりの傾斜態様で、かつ、その全体はサイト境界１ｂに近いほど高位置となる状態で東西方向の一列に配設された東側フィン（東サイトの光入射調整部材：２ｂ′は図６のみで使用），
２ｃはそれぞれ幅方向に傾斜した西側フィン２ａ，２ａ′，東側フィン２ｂ，２ｂ′および後述の変形フィン２ｋ，低傾斜フィン２ｍの各長手方向に延びる上端縁部分，
２ｄはそれぞれ幅方向に傾斜した西側フィン２ａ，２ａ′，東側フィン２ｂ，２ｂ′の各長手方向に延びる下端縁部分，
２ｅは天井１の採光部北側縁上表面に南傾斜状態(図５参照)で固定されて、南側からの入射太陽光を積極的に西側フィン２ａ′および東側フィン２ｂ′の方へ反射する北側起立平板（光入射調整部材への太陽光反射用の北側起立部材），
２ｆは西側フィン２ａ，２ａ′および後述の変形フィン２ｋ，低傾斜フィン２ｍなどの長手方向（南北方向）端部を取り付けるための細幅板状で一対の西側斜め支持部，
２ｇは東側フィン２ｂ，２ｂ′および後述の変形フィン２ｋ，低傾斜フィン２ｍなどの長手方向（南北方向）端部を取り付けるための細幅板状で一対の東側斜め支持部，
２ｈは西側斜め支持部２ｆおよび東側斜め支持部２ｇそれぞれの上端側を連結する一対の水平支持部，
２ｊは西側斜め支持部２ｆおよび東側斜め支持部２ｇをそれぞれ天井１の採光部回り外側部分に固定するための計四個のＬ字状金具，
２ｋは西側フィン２ａ，２ａ′の横方向短辺の下端側を縦方向長辺の全体にわたって下方に折り曲げた形の変形フィン〔光入射調整部材：図７(a)のみで使用〕，
２ｍは西側フィン２ａ，２ａ′と同一形状からなり、水平面との傾斜角度がこれよりも小さい態様で配設された低傾斜フィン〔光入射調整部材：図７(b)のみで使用〕，
３は太陽光入射構造２の全体を覆うことによりこれを保護する形で天井１の上表面に固定された透光性で後方拡大形状のドーム，
４は太陽光入射構造２の全体を覆うことによりこれを保護する形で天井１の上表面に固定された透光性で平板形状の採光パネル（図８のみで使用），
をそれぞれ示している。
【００３４】
また、
Ｗは長方形状平板からなる西側フィン２ａ，２ａ′および東側フィン２ｂ，２ｂ′それぞれの横方向の幅，
Ｌは長方形状平板からなる西側フィン２ａ，２ａ′および東側フィン２ｂ，２ｂ′それぞれの縦方向の長さ，
θは採光部水平面に対する西側フィン２ａ，２ａ′，東側フィン２ｂ，２ｂ′および変形フィン２ｋの東西方向の傾斜角度，
θ′は採光部水平面に対する低傾斜フィン２ｍの東西方向の傾斜角度（＜θ），
をそれぞれ示している。
【００３５】
ここで、西側フィン２ａ，２ａ′，東側フィン２ｂ，２ｂ′，変形フィン２ｋおよび低傾斜フィン２ｍは、同一形状，同一サイズの鏡面仕様である。また、鏡面ダクト１ｄは、その内面が鏡面仕様である。これらは、例えばアルミ製鏡面，ステンレス製鏡面，銀・アルミニウムの真空金属蒸着フィルム処理を施した樹脂製鏡面，ガラス鏡面などを用いる。
【００３６】
ドーム３および採光パネル４は、アクリル、ポリカーボネートなどからなるプラスチック製やガラス製のものである。
【００３７】
さらには、西側フィン２ａ，２ａ′，東側フィン２ｂ，２ｂ′および低傾斜フィン２ｍは互いに同一形状，同一サイズで、かつ、フィン長手方向中心軸およびフィン幅方向中心軸の双方に関して対称の平板部材である。
【００３８】
そのため作業者は、西側フィン２ａ，２ａ′，東側フィン２ｂ，２ｂ′および低傾斜フィン２ｍのそれぞれを採光部１ａに設置するときや、設置前に当該フィンをまとめて保管するときに、個々のフィンについてその前後左右や表裏を特に意識しなくてもよい。
【００３９】
このように太陽光入射構造２は、採光部１ａの東西各サイトの西側斜め支持部２ｆおよび東側斜め支持部２ｇに、それぞれ計１３枚の西側フィン２ａ，２ａ′および東側フィン２ｂ，２ｂ′を固定したものである。なお、変形フィン２ｋや低傾斜フィン２ｍも西側斜め支持部２ｆおよび東側斜め支持部２ｇに固定される。
【００４０】
なお、各フィンを固定するには、ネジ止め，リベット止め，接着などの各種固定手段を適宜用いる。
【００４１】
西側フィン２ａ，２ａ′および東側フィン２ｂ，２ｂ′は、それぞれ南北を向いた西上がり（西側フィン）および東上がり（東側フィン）の傾斜状態で、上端部分が東西各サイトの東西外側端部よりもサイト境界１ｂに近いほど高い位置に配設されている。変形フィン２ｋや低傾斜フィン２ｍを用いる場合も同様である。
【００４２】
また、図１で明示されるように西側フィン２ａ，２ａ′および東側フィン２ｂ，２ｂ′は、サイト境界１ｂに直近の計二個のフィンを除き、それぞれの平面の略３/４の部分が隣上方の離間対向フィンでいわば覆われている。
【００４３】
すなわち、各フィンの上表面およびその隣上方フィンの下裏面それぞれの大半部分（略３/４）が対向している。この対向により当該上表面での反射光が当該下裏面の方に進んでいく。
【００４４】
西側フィン２ａ，２ａ′，東側フィン２ｂ，２ｂ′および変形フィン２ｋの傾斜角度θは水平面から５度から３５度に設定し、低傾斜フィン２ｍの傾斜角度θ′はθよりも小さい水平面から４度から３４度に設定する。
【００４５】
また、図５および図６の各フィンの北上がりの傾斜角度は例えば水平面から５度から３５度に設定し、北側起立平板２ｅの南側への傾斜角度は例えば０度から２０度（水平面から７０度から９０度）の角度に設定する。
【００４６】
図４において、
Ａ（＝Ａ１＋Ａ２）は西側の空の高高度から任意の西側フィン２ａ，２ａ′の上表面に大きな仰角で入射する昼間太陽光，
Ａ１は昼間太陽光Ａの中、第一の西側フィンの上表面上側部分（上端縁部分２ｃに近い部分）で反射した後、その東隣上方の第二の西側フィンの下裏面で再反射することなくフィン上方にいわば逃げてしまう昼間逃げ反射光（採光部１ａに入射しない太陽反射光），
Ａ２は昼間太陽光Ａの中、第一の西側フィンの上表面下側部分で反射した後、その東隣上方の第二の西側フィンの下裏面で再反射して採光部１ａに入射する昼間取込み反射光（採光部１ａへ入射する太陽光），
Ｂ（Ｂ１＋Ｂ２）は西側の空の低高度から任意の西側フィン２ａ，２ａ′の上表面に小さな仰角で入射する夕方太陽光，
Ｂ１は夕方太陽光Ｂの中、第一の西側フィンの上表面上側部分（上端縁部分２ｃに近い部分）で反射した後、その東隣上方の第二の西側フィンの下裏面で再反射することなくフィン上方にいわば逃げてしまう夕方逃げ反射光（採光部１ａに入射しない太陽反射光），
Ｂ２は夕方太陽光Ｂの中、第一の西側フィンの上表面下側部分で反射した後、その東隣上方の第二の西側フィンの下裏面で再反射して採光部１ａに入射する夕方取込み反射光（採光部１ａへ入射する太陽光），
をそれぞれ示している。
【００４７】
なお、東の空から任意の東側フィン２ｂ，２ｂ′に入射する昼間太陽光および朝方太陽光の場合にも、上述の西側フィン２ａ，２ａ′の昼間太陽光および朝方太陽光に対する反射作用と同様の採光状態が設定されるのは勿論である。また、変形フィン２ｋや低傾斜フィン２ｍを用いる場合も同様である。
【００４８】
このように朝方，昼間，夕方のいずれにおいても、図４のＡ，Ｂで示すように、西側フィン２ａ，２ａ′および東側フィン２ｂ，２ｂ′などの上表面で反射した太陽光はサイト境界１ｂに近い隣上方フィンの方に進む。
【００４９】
西側フィンの場合はその東隣上方に配設された別の西側フィンの方に進み、東側フィンの場合はその西隣上方に配設された別の東側フィンの方に進む。
【００５０】
すなわち、太陽光入射構造の各フィンへ入射する昼間，夕方の太陽光Ａ，Ｂはいわば初期反射光としてそのサイト境界側の隣上方フィンの方に進む。
【００５１】
この初期反射光は、
(31)サイト境界側の隣上方フィンの裏面で再反射せずにフィン上方へと伝搬する逃げ反射光Ａ１，Ｂ１と、
(32)この隣上方フィンの裏面で再反射して採光部１ａへと伝搬する取込み反射光Ａ２，Ｂ２とに、
区別されえる。
【００５２】
そして図４で明示されるごとく、昼間太陽光Ａおよび夕方太陽光Ｂに対する、それぞれの逃げ反射光Ａ１，Ｂ１の割合比率は昼間太陽光Ａの方が格段に大きくなっている。
【００５３】
これは、
(41)西上がりの傾斜態様の西側フィン２ａ，２ａ′の上表面に対する昼間太陽光Ａの入射角度（表面法線と入射光との間の角度）が夕方太陽光Ｂのそれよりも小さく、
(42)この西側フィン２ａ，２ａ′の上端縁部分２ｃが東西中央のサイト境界１ｂに近いほど上方位置に設定されている、
ためである。
【００５４】
上述の逃げ反射光Ａ１，Ｂ１の割合比率の大小関係および(41)，(42)に記載のことは、（図示省略の）東の空からの高高度の昼間太陽光と低高度の朝方太陽光との間においても、勿論いえる。また、この大小関係や記載内容は変形フィン２ｋや低傾斜フィン２ｍを配設する場合も同様に妥当する。
【００５５】
図５および図６の太陽光入射構造２は、それぞれ北上がり傾斜のフィンおよび南傾斜の北側起立平板２ｅを備えている。
【００５６】
この各フィンの北上がり傾斜によって、南北方向に水平状態の場合（図３参照）よりも、南寄り太陽光の入射方向からみたときに、太陽光入射構造２の東西各サイトの採光部面積が大きくなり、採光量を増大させることができる。
【００５７】
また、夏季における高い入射角度の太陽光は、その一部が南傾斜している北側起立平板２ｅの北側面に当たり、太陽光入射構造２の東西各サイトの採光部へ入射しないので、季節による屋内採光量照度の平均化を図ることができる。
【００５８】
また、太陽光入射構造２の東西各サイトの採光部へ直接入射しない低い入射角度の太陽光が、北側起立平板２ｅの南側面に反射して当該採光部へ入射するので、より採光量を増大させることができる。
【００５９】
図７(a)の複数の変形フィン２ｋは、それぞれ横方向短辺の下端側を縦方向長辺の全体にわたって下方に折り曲げた形のフィンである。
【００６０】
この折り曲げ形状により、変形フィン２ｋは自らの大きな強度を保持でき、曲り部分での反射光方向のいわば複雑化を図ることができる。
【００６１】
図７(b)の（西側フィン２ａ＋低傾斜フィン２ｍ）を用いた太陽光入射構造では、これら傾斜角度の異なる二種類のフィンを用いているので、当該フィン全体からの錯綜した反射光方向感をえることができる。
【００６２】
太陽光入射構造２では、上述したように西側フィン２ａ，２ａ′および東側フィン２ｂ，２ｂ′などで太陽光を採光部１ａへ再反射するに際して、低高度太陽光に対する再反射割合が高高度太陽光のそれよりも大きく設定される。
【００６３】
この再反射割合の大小設定により、一日の時間帯における屋内採光量照度のできるだけの平均化を図っている。
【００６４】
図８(a)および図８(b)の太陽光入射構造２は、いずれも天面１に埋設される態様で設けられている。太陽光入射構造２を保護する採光パネル４は平板形状なので天面１から上に突出する部分がない。
【００６５】
さらに、図８(a)の太陽光入射構造２では、図示矢印のような低い入射角度の太陽光がより多く太陽光入射構造２に入射するように、太陽光入射構造２の周囲の天井１に上方が広くなるような傾斜面１ｃを設けている。
【００６６】
また、図８(b)の太陽光入射構造２では、低い入射角度の太陽光がより多く太陽光入射構造２に入射するように、太陽光入射構造２の周囲に鏡面ダクト１ｄを設けている。図示矢印のように太陽光入射構造２の上を越える低い入射角度の太陽光は、鏡面ダクト１ｄで反射してから太陽光入射構造２に入射する。
【００６７】
本発明が以上の実施形態に限定されないことは勿論であり例えば、
(51)採光部１ａに各種タイプの光ダクトを取り付ける、
(52)西側フィン２ａ，２ａ′，東側フィン２ｂ，２ｂ′，変形フィン２ｋおよび低傾斜フィン２ｍとして各種形状のフィンを用いる。
(53)平板状フィンに代えて湾曲板状フィンを用いる、
(54)ドーム３として、南北方向にも対称なお椀形状や、十分な大きさの北側起立平板２ｅを収容できるいわば角型空間域を備えた形状のものを用いる、
(55)傾斜角度の異なる三種類以上のフィンを用いる、
(56)鏡面ダクト１ｄを下方に延長する、
ようにしてもよい。
【符号の説明】
【００６８】
〔図１〜図８〕
１：天井
１ａ：採光部
１ｂ：採光部の東西のサイト境界
１ｃ：傾斜面（図８(a)のみで使用）
１ｄ：鏡面ダクト（図８(b)のみで使用）
２：太陽光入射構造
２ａ，２ａ′：西側フィン（２ａ′は図５，図６のみで使用）
２ｂ，２ｂ′：東側フィン（２ｂ′は図６のみで使用）
２ｃ：上端縁部分
２ｄ：下端縁部分
２ｅ：北側起立平板
２ｆ：一対の西側斜め支持部
２ｇ：一対の東側斜め支持部
２ｈ：一対の水平支持部
２ｊ：計四個のＬ字状金具
２ｋ：変形フィン〔図７(a)のみで使用〕
２ｍ：低傾斜フィン〔図７(b)のみで使用〕
３：透光性のドーム
４：透光性の採光パネル（図８のみで使用）
Ｗ：各フィンの横方向の幅
Ｌ：各フィンの縦方向の長さ
θ：水平面に対する西側フィン，東側フィンおよび変形フィンの東西方向の傾斜角度
θ′：水平面に対する低傾斜フィンの東西方向の傾斜角度（＜θ）
【００６９】
〔図４〕
Ａ（＝Ａ１＋Ａ２）：昼間太陽光
Ａ１：昼間逃げ反射光（採光部に入射しない太陽反射光）
Ａ２：昼間取込み反射光（採光部に入射する太陽光）
Ｂ（Ｂ１＋Ｂ２）：夕方太陽光
Ｂ１：夕方逃げ反射光（採光部に入射しない太陽反射光）
Ｂ２：夕方取込み反射光（採光部へ入射する太陽光）
【図１】
2016157654.tif 000003
【図２】
2016157654.tif 000004
【図３】
2016157654.tif 000005
【図４】
2016157654.tif 000006
【図５】
2016157654.tif 000007
【図６】
2016157654.tif 000008
【図７】
2016157654.tif 000009
【図８】
2016157654.tif 000010